(57)【要約】      （修正有）【課題】従来の口中で歯に固定する硬いマウスピースに代わり、柔らかい素材で、歯と口唇間に装着する口唇着用形睡眠時無呼吸症候群改善用マウスピースの提供。【解決手段】従来は内科医から歯医者に回り、歯型を取ってボクシング用のような固い本格的なマウスピースで睡眠時の呼吸を確保しょうとするもので有ったが、唇が閉じてしまい、なかなかうまく行っていない現状であるが、素材をポリエステル系、ビニール系、シリコン系などを使用し、口唇形で装着しやすく、形も大・中・小の３種を作成すればほとんどカバーすることが出来る。口唇に装着し、上下唇の間に自然に近い隙間・空間を確保し睡眠中の無呼吸、酸素不足を簡易に解消出来るのであり、無呼吸症候群関係の人達が待ち望んでいる器具であります。【選択図】図１
0003118109.tif 000002
【実用新案登録請求の範囲】
【請求項１】
図１のように人間の平均的な口の大きさに合わせた形状に作り、上下一体型で歯と唇の間に本体部分を挟む状態でくわえ込む形状とし、唇の外に向けて上下唇受け部分をＬ字形及びＪ字形及び板状形で口の外に出し上下の唇を支え密着しなくする形式である。この口唇挟み形マウスピース本体の形状。
【請求項２】
口中の本体から外に上下の唇受け部分を図３の如く口の横幅に合わせた横長で、奥行きは唇に合わせた奥行きで、口から突き出す板状の形。
【請求項３】
口中から外に突き出る部分の先端で、曲がり角の部分における角張った形状のＬ字型様式。
【請求項４】
口中から外に突き出る部分の先端で、曲がり角の部分における丸みを持った形状のＪ字型様式。
【請求項５】
このマウスピースの上下の各唇をＬ字又はＪ字又は板状形で包む部分、この唇部分の合わさる上下が接触する所において、上下共か又は上だけか下だけの何れかの唇部分の中央又は左右両側に小さな四角、三角、多角、又は丸形の突起物又は突起状部分をつけること。
【請求項６】
請求項５の突起物による上下の空間を作る厚みを１５段階とし、１５ｍｍ  から１ｍｍまで１５段階に突起物、突起部分を作成する事。
【請求項７】
この口唇マウスピースの上下一体型は口の形に合わせたものであり、横形楕円形であるが、口中にくわえ込む本体の部分は、くわえこんだ後も変形しないが、上下の唇に接している部分は微量の反発力で上下に動き、通常は上下接触して合わさっているものである。その上唇を包み支える部分の付け根と、下唇を包み支える付け根の部分は、口中にくわえ込む本体と繋がり一体となっているが、会話に支障の無いよう。、唇の上下運動をスムーズにするため図面のように、間隔を開けてつながっているのである。その間隔を上下２０ｍｍから１０ｍｍとして確保すること。
【請求項８】
上下一体型で無く、上下を切り離した形状、上下前歯と唇の間に本体を挟み込み、本体と一体の唇受けを突き出す形状は上下一体型と同じで有るが、この上下分離型の形式。
【考案の詳細な説明】
【技術分野】
【０００１】  ポリエステル、ビニール、シリコンなどの材料を使用し金型等にはめて成型する呼吸の流通をよくする為のマウスピースであるが、従来のように歯型を取って歯にかぶせるので無く、前歯と唇の間に挟みくわえ込む新しい形式。
【背景技術】
【０００２】  従来は内科医から歯医者に回り、歯の形を取ってボクシング用のような、本格的なマウスピースを作って歯にかぶせてはめ込む形式であったが、これの改善と上下唇の間に空間をあけるための、唇と唇の間に膨らむ部分として突起又は突起部分を設け、空間を作る。
【考案の開示】
【考案が解決しようとする課題】
【０００３】  この考案は睡眠時無呼吸症候群の治療と改善に大変有効である。これまでにも無呼吸改善用にマウスピースが使用されていたが、その器具を入手するには歯医者さんにお願いして自分用のマウスピースを作るのだが、上顎下顎の歯にはめ込む非常に硬い形式の物で、歯を噛み合わせる時、自然に下顎が前に出るように作り空気の流通を良くしようとするものなどであり、その総入れ歯のようなものを夜睡眠中、ずっと口にはめねばならず、空気もなかなかうまく通らないのが現状である。因に他の治療法を拾い上げると、喉の奥を広げる手術、人工呼吸器のような特別な器具を口に装着する、などで有る。
この無呼吸症候群に付いての対策を、先述の従来のマウスピースを乗り越えた新考案により空気の流通を重視し、改善して手軽でもっと有効なものにしょうとするものである。
【課題を解決するための手段】
【０００４】  この考案のマウスピースは、上下一体型と上下別離型があり、歯と唇の間に本体部分を挟む形で口にくわえ込み、上下の唇が閉じてしまわないように、口の外に向けて上下の唇受け部分を突き出すもので、その形様はＬ字形とＪ字形、平らな板状形が有り、Ｌ字形Ｊ字がたは浅いめに唇を支える部分をつける形となる。  その上下どちらかの唇の合わさる所に、５ｍｍ程度の角及び丸及び三角形の小さな突起物又は突起部分を作り。上下の唇の間に横長の空間を作るもので、これにより口は閉じ切らず、良く空気が流通する。これにより無呼吸の酸素不足が解決される。
材質もポリエステルのような柔らかいものを使用することにより、違和感が少なく脱着も容易である、図面のように人間の平均的な口の大きさに合わせて、大・中・小など３種類程の既製品を作っておけば医院で形を取って注文する必要も無く、どこででも簡単に入手することが出来る。
【考案の効果】
【０００５】  この考案は、睡眠時無呼吸症候群による呼吸困難を簡易に解消するもので、口を閉じて睡眠する人、肥満などで喉や鼻の軌道の狭い人、風邪や鼻炎で鼻が詰まり、その状態で口を閉じて睡眠し、無意識に呼吸困難におちいる人達の待ち望んでいる器具で有り、これまでの治療用マウスピースは口の合わせ目や合わせ方が不自然になり、上下の唇が密着してしまったり、機械からの太いパイプの付いたマスクをを口に当てるなど、大掛りな治療器具などであったが、この口唇挟みくわえ型マウスピースは子供でも簡単につけられるものであり、無呼吸症候群の人達や、成長期の子供達の脳の酸素不足を改善する画期的な治療器具となる。
上下一体型は外れないように両脇に紐を通して頭の後ろでくくる事も出来、特に良く風邪を引く子供達には大変有効である。（喉の軌道が極端に狭い人は直接な効果は望めないが、軽度なものは有効に働くと思われる）。
【考案を実施するための最良の形態】
【０００６】  これまでのマウスピースのように口中の歯にはめるのではなく、ポリエステルや、ビニール、シリコンのような柔らかい素材で作り、上下の歯及びはぐきと唇の間、唇の内側に本体部分を挟む形で口にくわえこむ物で、違和感が少なく脱着も容易である。
本体から外に出ている上下唇受けの間の突起物は大きさを選ぶる事が出来、空気の流通を調節出来るものである。
【実施例】
【０００７】  この考案のマウスピースは図面のように上下の唇は通常唇受け部分を挟んでいるが、口を軽く閉じた状態で合わさるようになっている、従来の物で唇を上下に引き離し無理に口をあけ、唇を開く状態になる器具が有るようだが用途働きは全く別の物である。その唇の間に突起部分が有ることにより、自然の状態で、横長の空気が流通する空間を確保する事が出来るもので、穴のあいた手頃な横長の物を横にして唇で挟んでみると、唇を閉じていても空気がよく通る事がわかるが、これと同じ状態である。唇受け部分が有ることにより上下の唇が密着することを防ぐ事が出来る。
【図面の簡単な説明】
【０００８】
【図１】本考案の形式全体図、Ｌ字形唇受け固定で中央上下に突起物を付けた斜視図
【図２】Ｊ字形唇受けが固定された形式の、上中央のみ突起物を付けた斜視図
【図３】平板型唇受けが固定された形式の、下中央のみ突起物を付けた斜視図
【図４】上下分離形のＪ字形唇受け形式の上下双方の左右に突起物を付けた斜視図
【図５】Ｌ字形唇受けが固定された上下唇間の下方の左右に突起物を付けた斜視図
【図６】Ｊ字形唇受けが固定された唇間の上下双方の左右に突起物を付けた斜視図
【図７】上下分離形式のＪ字形形式を真横から見た図
【図８】Ｊ字形形式の器具を装着した側面図
【図９】器具を装着した正面図
【符号の説明】
【０００９】  １  歯と唇の間に挟み入れ、くわえる部分
２  Ｌ字形の、唇を受け支える突き出し部分
３  Ｊ字形の、唇を受け支える突き出し部分
４  上下唇間に空間を確保する為の突起物
５  上下分離形器具の、歯と唇の間に挟み入れ、くわえる部分
６  平板形の、唇を受け支える突き出し部分
７  上下唇受けの根元にあたる、口にくわえる部分との接合部の、上下に間隔を開ける部分
８  左右に紐を通して頭の後ろでくくり、器具を固定するための穴、必要とする時のもの
【図１】
0003118109.tif 000003
【図２】
0003118109.tif 000004
【図３】
0003118109.tif 000005
【図４】
0003118109.tif 000006
【図５】
0003118109.tif 000007
【図６】
0003118109.tif 000008
【図７】
0003118109.tif 000009
【図８】
0003118109.tif 000010
【図９】
0003118109.tif 000011
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
人間の平均的な口の大きさに合わせ、横形の楕円の枠形に作り、歯と唇の間に本体部分を挟む状態でくわえ込む形状とし、根元で本体とつながり口の外に向って出る上下二枚の唇で挟む板状部分（唇と接している部分）の先端をＬ字形及びＪ字形及び直線形とし、口内より口外の前方に出し、上下の唇の間に挟むことにより唇が上下密着しないようにする形式にして、これにより上下唇の間に空気の流通する空間を作る、口唇に挟みこむ口唇くわえ形呼吸改善マウスピース。
【請求項２】
口中の本体から外に出る上下唇に接している部分を口の横幅に合わせた横長とし、奥行きは唇に合わせた奥行きで、前方へ口から突き出す形状となり、上下の唇が挟む部分は平板状であることを特徴とする請求項１記載の口唇くわえ形呼吸改善マウスピース。
【請求項３】
口中から外に突き出る部分の先端で、上下に曲がる角の部分における角張った形状のＬ字型であることを特徴とする請求項１記載の口唇くわえ形呼吸改善マウスピース。
【請求項４】
口中から外に突き出る部分の先端で、上下に曲がる角の部分における丸みを持った形状のＪ字型であることを特徴とする請求項１記載の口唇くわえ形呼吸改善マウスピース。
【請求項５】
このマウスピースの上下唇で挟み唇を分離している部分の内側、上下が合わさり接触する所において▲１▼上下共  ▲２▼上だけ  ▲３▼下だけの何れかの唇の「中央」又は「左右両側」に小さな四角、三角、多角、又は丸形の突起物又は突起状部分をつくることを特徴とする請求項１記載の口唇くわえ形呼吸改善マウスピース。
【請求項６】
請求項５の突起物により上下の唇間に空間を作るのであるが、その空間を作る突起物（突起部分）の厚みを２５段階とし、１ｍｍから２５ｍｍまで２５段階に突起物、突起部分を作成することを特徴とする請求項１記載の口唇くわえ形呼吸改善マウスピース。
【請求項７】
この口唇くわえ形呼吸改善マウスピースは口の形に合わせたものであり、口中の本体は横形楕円形であるが
▲１▼楕円形の中は外側の輪郭を小さくした形でくりぬかれている、従って横楕円形の枠形である
▲２▼上下の唇に接している唇を支え分離する部分は微量の反発力を有し上下に動き、通常は突起物又は突起部分の厚みに従い上下が開いて合わさっているものである
▲３▼上唇に接し唇間に挟む部分の付け根と、下唇に接し唇間に挟む部分の付け根は、口中にくわえ込む口中の本体と上下に別れて繋がり一体となっているが、会話に支障の無いよう、唇の上下運動をスムーズにするため、くわえ込む本体と上下の唇を支える部分の繋がる付け根の部分は、上と下が平行で無く上下の間隔が開いてつながっている、この上下の間隔を上下２５ｍｍから１０ｍｍの１５段階として作成する
以上からなる特徴を持つ請求項１記載の口唇くわえ形呼吸改善マウスピース。
【請求項８】
上下一体型で無く、上下を切り離した形状であって、上下共前歯と唇の間に本体を挟み込み、本体と一体の唇間の板状部分を突き出す形状は上下一体型と同じで有るが、この上下が分離している形式を特徴とする請求項１記載の口唇くわえ形呼吸改善マウスピース。